(57)【要約】      （修正有）【課題】係止テープによってシートベルトやランドセルの肩ベルト等へ容易に脱着が可能なために日常的に身につけやすく、身体に密着して身につけることでより安心感を得られるベルト装着型お守り用布製ケースを提供する。【解決手段】中央部材２、左部材３及び右部材４で構成され、中央部材２の裏面には上部が開口したお守り収納部２ｅを設け、中央部材２を中心として左部材３及び右部材４をそれぞれ中心に向かって折り込み、左部材３の裏面３ｂに取り付けられた係止テープ５と右部材４の表面４ａに取り付けられた係止テープ６で左部材３と右部材４を係止することで、シートベルト等に装着可能なお守りケース１としたことを特徴とするベルト装着型お守り用布製ケースの構成とした。【選択図】図１
0003134639.tif 000002
【実用新案登録請求の範囲】
【請求項１】
中央部材、左部材及び右部材で構成され、前記中央部材の裏面には上部が開口したお守り収納部を設け、前記中央部材を中心として左部材及び右部材をそれぞれ中心に向かって折り込み、左部材の裏面に取り付けられた係止テープと右部材の表面に取り付けられた係止テープで左部材と右部材を係止することでシートベルト等に装着可能なお守りケースとしたことを特徴とするシートベルト装着型お守り用ケース。
【考案の詳細な説明】
【技術分野】
【０００１】
本考案は、シートベルトやランドセル等の鞄のベルトに装着可能なお守り用の布製ケースに関するものである。
【背景技術】
【０００２】
従来、神社や寺院等で授与されるお守りは、長方形等のケースに紐等が付けられており、ケースに付けられた紐を身の回りの物に引っかけたり縛り付けるなどして身につけることが多い。例えば、交通安全のお守りの場合は車内にお守りケースの紐で引っかけておいたり、鞄のベルト部分に紐でくくりつけたり、鞄の中にしまっておくなどして身につけている。
【０００３】
また、身につけるために紐を使わないお守りとしては特許文献１に記載の自転車専用お守りのように、塩化ビニール製の帯状シートにお守りを配置し高周波加熱パック処理したものを自転車のハンドルやフレーム等の円筒部分に巻き付け、留め具を用いて装着する物も提案されている。
【０００４】
しかしながら、前記特許文献１の自転車専用お守りは、自転車に使用することを専用としているために風雨に耐えうる塩化ビニール製であり、日常的に身につけるには素材やデザイン的に適していない。
【特許文献１】実開平８−３９４号
【考案の開示】
【考案が解決しようとする課題】
【０００５】
そこで、本考案は、脱着可能なので日常的に身につけやすく、身体に密着することでより安心感を得られるベルト装着型お守り用布製ケースを提供することを目的とするものである。
【課題を解決するための手段】
【０００６】
本考案は、中央部材２、左部材３及び右部材４で構成され、前記中央部材２の裏面２ｄには上部が開口したお守り収納部２ｅを設け、前記中央部材２を中心として左部材３及び右部材４をそれぞれ中心に向かって折り込み、左部材３の裏面３ｂに取り付けられた係止テープ５と右部材４の表面４ａに取り付けられた係止テープ６で左部材３と右部材４を係止することでシートベルト等に装着可能なお守りケース１としたことを特徴とするお守り用布製ケースの構成とした。
【考案の効果】
【０００７】
本考案は、係止テープを係止させることでシートベルト等への脱着が可能であるため、交通安全等のお守りを車内のシートベルトやランドセルの肩ベルト等に容易に取り付けることができ、身体にお守りが密着するので安心感を得ることができる。
【０００８】
また、本考案は素材を布製としたことでシートベルト或いはランドセル等の鞄のベルトに取り付けても邪魔にならず、身体に密着しても違和感なく装着しておくことが可能である。
【考案を実施するための最良の形態】
【０００９】
本考案であるベルト装着型お守り用布製ケースは、中央部材、左部材及び右部材からなり、前記中央部材の裏面にはカード式お守りを収納するためのお守り収納部を設け、中央部材を中心として背面側に左部材及び右部材を折り込み、左部材及び右部材の各端部に取り付けた係止テープで左部材と右部材を係止させることで、シートベルト等に容易に脱着可能なお守り用布製ケースの構成とし、前記お守り用布製ケースを構成する中央部材の表面には任意で神社・寺院の名称やマーク等のデザインを描くことも可能であることを特徴としたものである。
【実施例１】
【００１０】
図１は本考案であるベルト装着型お守り用布製ケースの斜視図、図２は本考案の正面図、図３は本考案の左側面図、図４は本考案の右側面図、図５は本考案の平面図、図６は本考案の底面図、図７は本考案の背面図である。図１から図７に示すように、本考案であるお守り用布製ケース１は、中央部材２、左部材３及び右部材４で構成されている。
【００１１】
図１及び図２に示すように、本考案であるお守り用布製ケース１は、中央部材２を中心として左部材３及び右部材４を背面側に向かって折り込んで構成されているため、正面には中央部材２のみが現れている。図２に示すように、中央部材２は長方形状で、点線で示したように中央部材２の裏面２ｄにはお守り収納部２ｅが設けられている。
【００１２】
図３の左側面図、図４の右側面図、図５の平面図、図６の底面図に示すように、本考案であるお守り用布製ケース１は、中央部材２を中心として、まず右部材４を背面側に折り込み、前記折り込んだ右部材４に重ねるようにして左部材３を背面側に折り込む。
【００１３】
このとき、右部材４の表面４ａの端部には係止テープ６が取り付けられ、左部材３の裏面３ｂの端部にも係止テープ５が取り付けられているので、係止テープ５及び係止テープ６が互いに係止することで、右部材４と左部材３が係止され、左部材３、中央部材２、右部材４が一体となる。
【００１４】
図５の平面図及び図６の底面図に示すように、中央部材２の裏面２ｄに設けられたお守り収納部２ｅは、上部が開口部２ｆとなっている。これは、お守り収納部２ｅにお守りを収納する際、前記開口部２ｆからお守りを挿入するためである。
【００１５】
図７の背面図に示すように、本考案であるお守り用布製ケース１の背面中央部では、背面側に折り込まれた左部材３と右部材４が係止テープ５及び係止テープ６によって係止されている。
【００１６】
図８から図１０は、図１から図７に示した本考案であるベルト装着型お守り用布製ケースを展開した状態を示す図である。すなわち、図８は本考案であるベルト装着型お守り用布製ケースの展開正面図、図９は本考案であるベルト装着型お守り用布製ケースの展開平面図、図１０は本考案であるベルト装着型お守り用布製ケースの展開背面図である。
【００１７】
図８から図１０に示すように、本考案であるベルト装着型お守り用布製ケース１は、図１から図７に示した係止テープ５、６で係止された左部材３及び右部材４を展開すると、中央部材２を中心として前記中央部材２の左方に左部材３が設けられ、中央部材２の右方には右部材４が設けられており、左部材３、中央部材２、右部材４が一連となった横長の長方形状である。
【００１８】
前記中央部材２、左部材３及び右部材４の上方には縫いしろ３ｃが設けられ、縫いつけ線３ｅで縫いつけられている。また、前記中央部材２、左部材３及び右部材４の下方も同様に縫いしろ３ｄが設けられ、縫いつけ線３ｆで縫いつけられている。
【００１９】
中央部材２の裏面２ｄには、長方形状のお守り収納部２ｅが設けられている。前記お守り収納部２ｅは、底部を中央部材２、左部材３及び右部材４の下方に設けられた縫いしろ３ｄに挟み込み、縫いしろ３ｄを抑える縫いつけ線３ｆでお守り収納部２ｅの底辺も共に縫いつけられている。また、お守り収納部２ｅの左辺及び右辺は縫いつけ線２ｈで中央部材２に縫いつけられているが、上辺は開口部２ｆとなっている。
【００２０】
また、前記左部材３の裏面３ｂの左端には縦長の長方形状の係止テープ５が縫いつけ線５ａで縫い付けられ、前記右部材４の表面４ａの右端には前記係止テープ５と係合する係止テープ６が縫いつけ線６ａで縫い付けられている。
【実施例２】
【００２１】
図１１から図１５は、本考案であるベルト装着型お守り用布製ケースの実施例を示す図である。図１１は本考案であるベルト装着型お守り用布製ケースの実施例を示す正面図、図１２は本考案であるベルト装着型お守り用布製ケースの実施例を示す斜視図である。図１１に示すように、お守り用布製ケース７は、中央部材８の表面８ａにデザイン９が描かれている。
【００２２】
前記中央部材８の表面８ａに描かれたデザイン９は、お守りを授与する神社・寺院の名称やマーク等、お守りに関する任意のデザインを描くことが可能である。前記お守りを授与する神社・寺院とは、図１３に示すお守り収納部８ｂに収納するカード式お守り１５を授与する神社・寺院のことである。
【００２３】
図１３は本考案であるベルト装着型お守り用布製ケースの使用状態を示す展開背面図である。図１３に示すように、本考案であるベルト装着型お守り用布製ケース７には、カード式のお守り１５を収納し、使用する。
【００２４】
すなわち、お守り用布製ケース７の中央部材８の裏面８ｃに設けられたお守り収納部８ｂの上部の開口部８ｄからカード式のお守り１５を挿入し、お守り収納部８ｂに収納する。前記カード式のお守り１５とは、神社・寺院等で授与する交通安全その他のお守りで、
お守り収納部８ｂに収まる大きさの薄いカード式のお守りである。
【００２５】
図１４及び図１５は、本考案であるベルト装着型お守り用布製ケースをシートベルトに装着して使用した使用状態を示す図である。図１４に示すように、本考案であるお守り用布製ケース７は、自動車のシートベルト１４に装着して使用することができる。
【００２６】
図１３に示したカード式お守り１５をお守り収納部８ｂに収納したお守り用布製ケース７をシートベルト１４に装着するには、展開した状態のお守り用布製ケース７を中央部材８の表面８ａが表に見えるようにシートベルト１４の表面１４ａにあて、シートベルト１４を包み込むように右部材１１と左部材１０をシートベルト１４の裏面１４ｂ側に折り、右部材１１に取り付けた係止テープ１３と左部材１０に取り付けた係止テープ１２を互いに係止させることで、お守り用布製ケース７をシートベルト１４に装着する。
【００２７】
このようにしてシートベルト１４にお守り用布製ケース７を装着することで、お守り１５がお守り用布製ケース７を介して運転中にも身体に密着することとなり、お守りで守られているという安心感を得ることができる。
【００２８】
また、本考案であるお守り用布製ケース７は、布製であるために、シートベルト１４にも装着しやすく、柔らかいので身体に密着しても違和感がない。さらに、図１４及び図１５に示した方法で、シートベルトのみならず、ランドセルの肩ベルトや鞄のベルト等にも装着することができ、いつでもお守りを身体に密着させて持ち歩くことができる。
【図面の簡単な説明】
【００２９】
【図１】本考案であるベルト装着型お守り用布製ケースの斜視図である。
【図２】本考案であるベルト装着型お守り用布製ケースの正面図である。
【図３】本考案であるベルト装着型お守り用布製ケースの左側面図である。
【図４】本考案であるベルト装着型お守り用布製ケースの右側面図である。
【図５】本考案であるベルト装着型お守り用布製ケースの平面図である。
【図６】本考案であるベルト装着型お守り用布製ケースの底面図である。
【図７】本考案であるベルト装着型お守り用布製ケースの背面図である。
【図８】本考案であるベルト装着型お守り用布製ケースの展開正面図である。
【図９】本考案であるベルト装着型お守り用布製ケースの展開平面図である。
【図１０】本考案であるベルト装着型お守り用布製ケースの展開背面図である。
【図１１】本考案であるベルト装着型お守り用布製ケースの実施例の正面図である。
【図１２】本考案であるベルト装着型お守り用布製ケースの実施例の斜視図である。
【図１３】本考案であるベルト装着型お守り用布製ケースの使用状態を示す展開背面図である。
【図１４】本考案であるベルト装着型お守り用布製ケースをシートベルトに装着した使用状態を示す正面図である。
【図１５】本考案であるベルト装着型お守り用布製ケースをシートベルトに装着した使用状態を示す背面図である。
【符号の説明】
【００３０】
１            お守り用布製ケース
２            中央部材
２ａ          表面
２ｂ          上面
２ｃ          下面
２ｄ          裏面
２ｅ          お守り収納部
２ｆ          開口部
２ｇ          縫いしろ
２ｈ          縫いつけ線
３            左部材
３ａ          表面
３ｂ          裏面
３ｃ、３ｄ    縫いしろ
３ｅ、３ｆ    縫いつけ線
４            右部材
４ａ          表面
４ｂ          裏面
５            係止テープ
５ａ          縫いつけ線
６            係止テープ
６ａ          縫いつけ線
７            お守り用布製ケース
８            中央部材
８ａ          表面
８ｂ          お守り収納部
８ｃ          裏面
８ｄ          開口部
９            デザイン
１０            左部材
１０ａ          表面
１０ｂ          裏面
１１            右部材
１１ａ          表面
１１ｂ          裏面
１２            係止テープ
１３            係止テープ
１４            シートベルト
１４ａ          ベルト表面
１４ｂ          ベルト裏面
１５            お守り
【図１】
0003134639.tif 000003
【図２】
0003134639.tif 000004
【図３】
0003134639.tif 000005
【図４】
0003134639.tif 000006
【図５】
0003134639.tif 000007
【図６】
0003134639.tif 000008
【図７】
0003134639.tif 000009
【図８】
0003134639.tif 000010
【図９】
0003134639.tif 000011
【図１０】
0003134639.tif 000012
【図１１】
0003134639.tif 000013
【図１２】
0003134639.tif 000014
【図１３】
0003134639.tif 000015
【図１４】
0003134639.tif 000016
【図１５】
0003134639.tif 000017
【手続補正書】
【提出日】平成19年6月4日(2007.6.4)
【手続補正１】
【補正対象書類名】図面
【補正対象項目名】図１１
【補正方法】変更
【補正の内容】
【図１１】
0003134639.tif 000018
【手続補正２】
【補正対象書類名】図面
【補正対象項目名】図１２
【補正方法】変更
【補正の内容】
【図１２】
0003134639.tif 000019
【手続補正３】
【補正対象書類名】図面
【補正対象項目名】図１３
【補正方法】変更
【補正の内容】
【図１３】
0003134639.tif 000020
【手続補正４】
【補正対象書類名】図面
【補正対象項目名】図１４
【補正方法】変更
【補正の内容】
【図１４】
0003134639.tif 000021